(57)【要約】【課題】配向特性の変化を抑制しながら、発光色を変化させることが可能な半導体発光装置を提供する。【解決手段】この半導体発光装置は、励起光Ｌ11を発する半導体発光素子５０と、蛍光体を含み、半導体発光素子５０からの励起光Ｌ11により励起されて蛍光を発する蛍光体含有部材１１０とを備えている。この蛍光体含有部材１１０は、円盤状に形成されており、回転軸１２０によって回転可能に支持されている。また、蛍光体含有部材１１０は、周方向に蛍光体濃度分布を有している。さらに、蛍光体含有部材１１０の上面には、半導体発光素子５０とは反対側に突出する凸レンズ形状（凸レンズ部１１２）が設けられている。【選択図】図１
2011060884.tif 000002
【特許請求の範囲】
【請求項１】
励起光を発する半導体発光素子と、
蛍光体を含み、前記半導体発光素子からの励起光により励起されて蛍光を発する蛍光体含有部材とを備え、
前記蛍光体含有部材は、蛍光体濃度分布を有しているとともに、少なくとも一部にレンズ形状を有することを特徴とする、半導体発光装置。
【請求項２】
前記蛍光体含有部材における前記励起光の照射位置が変わるように、前記半導体発光素子および前記蛍光体含有部材の少なくとも一方が移動可能に構成されていることを特徴とする、請求項１に記載の半導体発光装置。
【請求項３】
前記半導体発光素子は、半導体レーザ素子であることを特徴とする、請求項１または２に記載の半導体発光装置。
【請求項４】
前記蛍光体含有部材が回転可能に支持されていることを特徴とする、請求項１〜３のいずれか１項に記載の半導体発光装置。
【請求項５】
前記蛍光体含有部材は、回転方向に蛍光体濃度分布を有することを特徴とする、請求項４に記載の半導体発光装置。
【請求項６】
前記レンズ形状は、前記半導体発光素子とは反対側に突出する凸レンズ形状であることを特徴とする、請求項１〜５のいずれか１項に記載の半導体発光装置。
【請求項７】
前記レンズ形状は、前記蛍光体含有部材に一体的に形成されていることを特徴とする、請求項１〜６のいずれか１項に記載の半導体発光装置。
【請求項８】
前記蛍光体含有部材は、互いに異なる発光ピーク波長を有する複数種類の前記蛍光体を含むことを特徴とする、請求項１〜７のいずれか１項に記載の半導体発光装置。
【請求項９】
単一の前記蛍光体含有部材を備えることを特徴とする、請求項１〜８のいずれか１項に記載の半導体発光装置。
【請求項１０】
前記蛍光体含有部材を複数備え、
前記複数の蛍光体含有部材は、前記励起光の出射方向に、互いに重なるように配設されており、
少なくとも、前記半導体発光素子から最も遠い位置に配設された前記蛍光体含有部材が、前記レンズ形状を有することを特徴とする、請求項１〜８のいずれか１項に記載の半導体発光装置。
【請求項１１】
前記複数の蛍光体含有部材は、互いに異なる発光ピーク波長を有する複数種類の前記蛍光体を含み、
それぞれの前記蛍光体含有部材は、１種類以上の前記蛍光体を含むことを特徴とする、請求項１０に記載の半導体発光装置。
【請求項１２】
前記半導体発光素子から遠い前記蛍光体含有部材に含まれる前記蛍光体は、前記半導体発光素子に近い前記蛍光体含有部材に含まれる前記蛍光体に比べて、発光ピーク波長が短いことを特徴とする、請求項１０または１１に記載の半導体発光装置。
【請求項１３】
前記蛍光体含有部材に含まれる前記蛍光体は、窒化物系蛍光体または酸窒化物系蛍光体であることを特徴とする、請求項１〜１２のいずれか１項に記載の半導体発光装置。
【請求項１４】
請求項１〜１３のいずれか１項に記載の半導体発光装置を備えることを特徴とする、車両用灯具。
【発明の詳細な説明】
【技術分野】
【０００１】
本発明は、半導体発光装置および車両用灯具に関し、特に、蛍光体および半導体発光素子を備えた半導体発光装置およびこの半導体発光装置を用いた車両用灯具に関する。
【背景技術】
【０００２】
発光ダイオード（ＬＥＤ）などの半導体発光素子は、小型で消費電力が少なく、高輝度の発光を安定に行うことができるという利点を有している。このため、近年では、白熱灯や蛍光灯などの照明器具を、ＬＥＤ等の半導体発光素子を含んだ構成の発光装置（半導体発光装置）を用いた照明器具に置き換える動きが進んでいる。
【０００３】
半導体発光装置と従来の発光装置とを比較すると、寿命や安定性の面で半導体発光装置は優れている。特に、照明器具の中でも車両用灯具は、安全性の観点より長期にわたる安定した発光が求められるので、車両用灯具に半導体発光装置を用いるメリットは大きいと言える。
【０００４】
また、半導体発光装置の他のメリットとして、発光装置から発せられる照明光の色を、所望の色に調整可能である点をあげることができる。
【０００５】
このような半導体発光装置として、従来、半導体発光素子と蛍光体とを組み合わせることによって、発せられる照明光の色を変化させることが可能な発光装置が知られている（たとえば、特許文献１参照）。
【０００６】
上記特許文献１には、ＬＥＤ光源の光出射方向に、蛍光体が部分的に存在する２つの蛍光体含有部材を互いに重ねて置いた光源装置（半導体発光装置）が記載されている。この光源装置では、蛍光体含有部材の角度や移動量を調整することにより、ＬＥＤ光源から見える蛍光体の面積比率が変えられる。これにより、光源装置から発せられる光の色を所望の色に変化させることが可能となる。
【先行技術文献】
【特許文献】
【０００７】
【特許文献１】特開２００６−３３２３８４号公報
【発明の概要】
【発明が解決しようとする課題】
【０００８】
しかしながら、特許文献１に記載された従来の光源装置（半導体発光装置）の構成では、発光色を変化させることに伴い、光源装置（半導体発光装置）から発せられる照明光の配向特性が著しく変化するという問題点がある。このため、このような光源装置（半導体発光装置）を車両用灯具に用いた場合、照射部に色むらが生じたり、発光色の制御性が制限されたりするといった問題が生じる。
【０００９】
この発明は、上記のような課題を解決するためになされたものであり、この発明の１つの目的は、配向特性の変化を抑制しながら、発光色を変化させることが可能な半導体発光装置および車両用灯具を提供することである。
【課題を解決するための手段】
【００１０】
上記目的を達成するために、この発明の第１の局面による半導体発光装置は、励起光を発する半導体発光素子と、蛍光体を含み、半導体発光素子からの励起光により励起されて蛍光を発する蛍光体含有部材とを備えている。そして、上記蛍光体含有部材は、蛍光体濃度分布を有しているとともに、少なくとも一部にレンズ形状を有している。
【００１１】
この第１の局面による半導体発光装置では、上記のように、半導体発光素子と蛍光体濃度分布を有する蛍光体含有部材とを備えた構成にすることによって、温度や経時変化などの影響が少なく、簡単な構成で発光色を所望の色に変化させることができる。また、第１の局面では、上記のように、蛍光体含有部材の少なくとも一部にレンズ形状を持たせることで、配向特性が変化するのを抑制することができる。
【００１２】
このように、第１の局面による半導体発光装置では、上記のように構成することによって、配向特性の変化を抑制しながら、発光色を変化させることができる。このため、第１の局面による半導体発光装置を車両用灯具に用いた場合でも、照射部に色むらが生じるのを抑制することができるとともに、発光色の制御性が制限されるのを抑制することができる。
【００１３】
なお、上記のように構成された第１の局面による半導体発光装置では、発光色を所望の色に容易に変化させることができるので、この半導体発光装置を室内照明や装飾用照明器具として用いた場合には、効果的な照明を行うことができる。また、車両用灯具として用いた場合には、周囲の天候や明るさなどに応じた色の光を発することができるので、視認性の向上や運転者の疲労低減等の効果が期待できる。
【００１４】
上記第１の局面による半導体発光装置において、好ましくは、蛍光体含有部材における励起光の照射位置が変わるように、半導体発光素子および蛍光体含有部材の少なくとも一方が移動可能に構成されている。このように構成すれば、容易に、発光色を変化させる（調整する）ことができるとともに、容易に、発光色を変化させる（調整する）ことに伴う配向特性の変化を抑制することができる。
【００１５】
上記第１の局面による半導体発光装置において、半導体発光素子は、半導体レーザ素子であるのが好ましい。このように構成すれば、素子あたりの光出力を強めることができるので、高出力の半導体発光装置を得ることができる。なお、上記半導体発光素子は、半導体レーザ素子以外の発光素子であってもよく、たとえば、上記半導体発光素子として、発光ダイオード素子を用いてもよい。
【００１６】
また、上記半導体発光素子として、発光ピーク波長が３８０ｎｍ〜４８０ｎｍの発光素子を好適に用いることができる。発光ピーク波長がこのような範囲となる半導体発光素子を用いれば、発光ピーク波長が上記範囲を外れることに起因する発光効率の低下を抑制することができる。また、半導体発光素子として半導体レーザ素子を用いる場合、発光ピーク波長は、青色波長域より充分短波長であるのが好ましい。このため、この場合の発光ピーク波長としては、３８０ｎｍ〜４２０ｎｍがより好適な範囲となる。
【００１７】
上記第１の局面による半導体発光装置において、好ましくは、蛍光体含有部材が回転可能に支持されている。このように構成すれば、蛍光体含有部材を回転させることにより、蛍光体含有部材における励起光の照射位置を所望の位置に変えることができるので、より簡単な構成で、発光色を所望の色に変化させることができる。また、このように構成すれば、容易に、装置の小型化を図ることができる。
【００１８】
この場合において、蛍光体含有部材は、回転方向に蛍光体濃度分布を有しているのが好ましい。このように構成すれば、より容易に、発光色を所望の色に変化させることができる。
【００１９】
上記第１の局面による半導体発光装置において、レンズ形状は、半導体発光素子とは反対側に突出する凸レンズ形状であるのが好ましい。このように構成すれば、容易に、蛍光体含有部材からの照明出射光（照明光）を平行光に近付けることができる。これにより、たとえば、車両用前照灯（車両用灯具）として用いる場合に、好適な光を発する半導体発光装置となる。
【００２０】
上記第１の局面による半導体発光装置において、好ましくは、レンズ形状は、蛍光体含有部材に一体的に形成されている。このように構成すれば、容易に、蛍光体含有部材にレンズ形状を持たせることができる。
【００２１】
上記第１の局面による半導体発光装置において、蛍光体含有部材は、互いに異なる発光ピーク波長を有する複数種類の蛍光体を含むように構成されているのが好ましい。
【００２２】
上記第１の局面による半導体発光装置において、単一の蛍光体含有部材を備えた構成であってもよい。この場合、単一の蛍光体含有部材に、複数種類の蛍光体が含まれていてもよい。
【００２３】
上記第１の局面による半導体発光装置において、上記蛍光体含有部材を複数備えた構成とすることもできる。この場合、複数の蛍光体含有部材は、励起光の出射方向に、互いに重なるように配設されており、少なくとも、半導体発光素子から最も遠い位置に配設された蛍光体含有部材が、レンズ形状を有しているのが好ましい。
【００２４】
さらに、この場合において、複数の蛍光体含有部材は、互いに異なる発光ピーク波長を有する複数種類の蛍光体を含み、それぞれの蛍光体含有部材は、１種類以上の蛍光体を含むように構成されていてもよい。
【００２５】
上記複数の蛍光体含有部材を備えた構成において、好ましくは、半導体発光素子から遠い蛍光体含有部材に含まれる蛍光体は、半導体発光素子に近い蛍光体含有部材に含まれる蛍光体に比べて、発光ピーク波長が短い。このように構成すれば、蛍光体から出射される蛍光の再吸収を抑制することができるので、発光効率を高めることができる。
【００２６】
上記第１の局面による半導体発光装置において、好ましくは、蛍光体含有部材に含まれる蛍光体は、窒化物系蛍光体または酸窒化物系蛍光体である。このような蛍光体は、熱的、化学的に安定であるため、発光色を変化させるための蛍光体として好適に用いることができる。
【００２７】
この発明の第２の局面による車両用灯具は、上記第１の局面による半導体発光装置を備えた車両用灯具である。このように構成すれば、容易に、配向特性の変化を抑制しながら、発光色を変化させることが可能な車両用灯具を得ることができる。また、このように構成すれば、照明光の色むらが抑制された、発光色の制御性に優れた車両用灯具を容易に得ることができる。
【発明の効果】
【００２８】
以上のように、本発明によれば、配向特性の変化を抑制しながら、発光色を変化させることが可能な半導体発光装置および車両用灯具を容易に得ることができる。
【図面の簡単な説明】
【００２９】
【図１】本発明の第１実施形態による半導体発光装置の光源部の構成を模式的に示した斜視図である。
【図２】本発明の第１実施形態による半導体発光装置の構成を示したブロック図である。
【図３】本発明の第１実施形態による半導体発光装置の蛍光体含有部材の構成を示した平面図である。
【図４】本発明の第１実施形態による半導体発光装置の光源部の一部を示した断面図である。
【図５】本発明の第１実施形態による半導体発光装置の光源部の側面図である。
【図６】本発明の第１実施形態による半導体発光装置の蛍光体含有部材の形成方法を説明するための斜視図である。
【図７】本発明の第１実施形態による半導体発光装置の蛍光体含有部材の形成方法を説明するための平面図である。
【図８】本発明の第２実施形態による半導体発光装置の光源部の構成を模式的に示した斜視図である。
【図９】本発明の第２実施形態による半導体発光装置のレンズ形状を有さない蛍光体含有部材の構成を示した平面図である。
【図１０】本発明の第３実施形態による半導体発光装置の光源部の構成を模式的に示した斜視図である。
【図１１】本発明の第３実施形態による半導体発光装置のレンズ形状を有さない蛍光体含有部材の構成を示した平面図である。
【図１２】本発明の第４実施形態による車両用ヘッドランプの構成を示した模式図である。
【図１３】本発明の変形例による半導体発光装置の蛍光体含有部材のレンズ形状を示した平面図である。
【図１４】本発明の変形例による半導体発光装置の蛍光体含有部材のレンズ形状を示した斜視図である。
【発明を実施するための形態】
【００３０】
以下、本発明を具体化した実施形態を図面に基づいて詳細に説明する。
【００３１】
（第１実施形態）
図１は、本発明の第１実施形態による半導体発光装置の光源部の構成を模式的に示した斜視図である。図２は、本発明の第１実施形態による半導体発光装置の構成を示したブロック図である。図３は、本発明の第１実施形態による半導体発光装置の蛍光体含有部材の構成を示した平面図である。図４および図５は、本発明の第１実施形態による半導体発光装置を説明するための図である。なお、図４は、蛍光体含有部材１１０を上面側から見た図を示しており、図５は、半導体発光装置を構成する光源部１００を側方から見た図を示している。まず、図１〜図５を参照して、本発明の第１実施形態による半導体発光装置について説明する。
【００３２】
第１実施形態による半導体発光装置は、図２に示すように、照明光Ｌを発する光源部１００を備えている。この光源部１００は、図１に示すように、励起光Ｌ11を発する半導体発光素子５０と、この半導体発光素子５０からの励起光Ｌ11により励起されて蛍光を発する蛍光体含有部材１１０とを含んでいる。
【００３３】
半導体発光素子５０は、半導体レーザ素子から構成されており、たとえば、ＡｌxＧａyＩｎzＮ（０≦ｘ≦１；０≦ｙ≦１；０≦ｚ≦１；ｘ＋ｙ＋ｚ＝１）系窒化物を材料としている。なお、半導体発光素子５０に半導体レーザ素子を用いる場合、レーザ光を青色光成分として照明光Ｌに含めることは安全上好ましくない。このため、半導体発光素子５０の発光ピーク波長は、青色領域より短波長とされている。
【００３４】
蛍光体含有部材１１０は、たとえば、シリコーン樹脂などの樹脂系材料中に蛍光体が分散されることによって形成されている。また、蛍光体含有部材１１０には、異なる発光ピーク波長を持つ少なくとも２種以上の蛍光体が、蛍光体濃度分布を持つように分散されている。
【００３５】
上記蛍光体は、青色光領域にピーク波長を持つ青色蛍光体、４８０ｎｍ〜５２０ｎｍの青緑色領域にピーク波長を持つ青緑色蛍光体、５２０ｎｍ〜５６０ｎｍの緑色光領域にピーク波長を持つ緑色蛍光体、５６０ｎｍ〜６００ｎｍの黄色光領域にピーク波長を持つ黄色蛍光体、６００ｎｍ〜７００ｎｍの赤色光領域にピーク波長を持つ赤色蛍光体の中から混色により白色光を発することのできる２種以上が組み合わされる。
【００３６】
このような蛍光体は、緑色蛍光体として、たとえば、Ｃｅ賦活（Ｓｒ，Ｃａ）ＡｌＳｉＮ３蛍光体、Ｃｅ賦活Ｓｅ2Ｓｉ5Ｎ8蛍光体、Ｅｕ賦活βＳｉＡｌＯＮ蛍光体、Ｙｂ賦活αＳｉＡｌＯＮ蛍光体などが好適に用いられ、黄色蛍光体として、たとえば、Ｅｕ賦活αＳｉＡｌＯＮ蛍光体、Ｃｅ賦活ＣａＡｌＳｉＮ3蛍光体などが好適に用いられる。また、赤色蛍光体として、たとえば、Ｅｕ賦活（Ｓｒ，Ｃａ）ＡｌＳｉＮ3蛍光体、Ｅｕ賦活ＣａＡｌＳｉＮ3蛍光体、Ｅｕ賦活Ｓｒ2Ｓｉ5Ｎ8蛍光体などが好適に用いられ、青色蛍光体として、たとえば、Ｃｅ賦活ＪＥＭ蛍光体、Ｃｅ賦活Ｌａ−ｎ相蛍光体、Ｅｕ賦活ＡｌＮ蛍光体などが好適に用いられる。さらに、青緑色蛍光体として、たとえば、Ｃｅ賦活αＳｉＡｌＯＮ蛍光体、Ｅｕ賦活（Ｂａ，Ｓｒ）2Ｓｉ2Ｏ2Ｎ2蛍光体などが好適に用いられる。
【００３７】
上記蛍光体含有部材１１０は、図１および図３に示すように、たとえば、約１０ｍｍ〜約５０ｍｍの直径Ｇ（図３参照）を有する円盤状に成型加工されている。この蛍光体含有部材１１０の中央部には、貫通孔１１１（図３参照）が形成されている。そして、この貫通孔１１１に、蛍光体含有部材１１０と中心を共通とするように円柱状の回転軸１２０（図１参照）が挿通され、回転軸１２０と蛍光体含有部材１１０とが互いに固定されている。なお、上記回転軸１２０の直径は、たとえば、約１ｍｍ〜約２５ｍｍとされており、上記回転軸１２０の長さは、たとえば、約５ｍｍ〜約５０ｍｍとされている。また、上記蛍光体含有部材１１０の厚みは、たとえば、約１ｍｍ〜約５ｍｍとされている。
【００３８】
また、上記回転軸１２０には、単一の蛍光体含有部材１１０が固定されており、この回転軸１２０によって、上記蛍光体含有部材１１０が回転可能に支持されている。
【００３９】
さらに、上記蛍光体含有部材１１０は、半導体発光素子５０からの励起光Ｌ11が裏面（下面）側の一部に照射されるように配設されている。具体的には、上記蛍光体含有部材１１０は、その裏面が上記半導体発光素子５０と対向するように配設されている。なお、半導体発光素子５０から蛍光体含有部材１１０までの距離ｈ（図５参照）は、たとえば、約１ｍｍ〜約５０ｍｍとされている。
【００４０】
ここで、第１実施形態では、上記蛍光体含有部材１１０は、図１および図４に示すように、その中心から外側に向かう方向（半径方向（Ｒ方向））に厚みの分布を有している。この厚みの分布は、半導体発光装置（光源部１００）から発せられる照明光Ｌが所望の配向特性を持つように、レンズ形状に設計されている。具体的には、上記蛍光体含有部材１１０は、その上面（半導体発光素子５０とは反対側の面）の一部が、照明光Ｌの出射方向（半導体発光素子５０と反対側の方向）に突出する凸レンズ形状に形成されている。すなわち、蛍光体含有部材１１０は、その上面（半導体発光素子５０とは反対側の面）に、凸レンズ部１１２が一体的に形成された構成となっている。
【００４１】
上記凸レンズ部１１２（凸レンズ形状）は、図３に示すように、平面的に見て、約２ｍｍ〜約１０ｍｍの幅ｗを有する環状（円形状）に形成されている。また、上記凸レンズ部１１２は、励起光Ｌ11の照射領域５１と対応する位置に、その一部が位置するように配設されている。このため、上記凸レンズ部１１２は、円盤状の蛍光体含有部材１１０を回転させた場合でも、常に、凸レンズ部１１２と対応する領域（蛍光体含有部材１１０の裏面領域）に、励起光Ｌ11が照射されるように構成されている。なお、励起光Ｌ11の照射領域５１の大きさ（直径ｇ）は、たとえば、約１ｍｍ〜約１０ｍｍである。また、上記配向特性は平行光であるのが好ましい。
【００４２】
また、第１実施形態では、上記蛍光体含有部材１１０は、蛍光体分散濃度や、蛍光体分散比率が異なる複数（４つ）の蛍光体領域Ａ〜Ｄを有している。これらの蛍光体領域Ａ〜Ｄは、蛍光体含有部材１１０の半径方向に平行な方向をＸ方向とし、蛍光体含有部材１１０（図２参照）の接線方向に平行な方向をＹ方向とした場合に、Ｘ方向およびＹ方向に略等分割されている。これにより、上記蛍光体含有部材１１０は、円周方向（回転方向）に蛍光体濃度分布を有するように構成されている。
【００４３】
また、第１実施形態による半導体発光装置は、図２に示すように、上記光源部１００に加えて、半導体発光素子駆動部１５０と、回転軸駆動部１６０と、半導体発光素子駆動部１５０および回転軸駆動部１６０を制御する制御部１７０とを備えている。
【００４４】
半導体発光素子駆動部１５０は、制御部１７０からの制御信号に基づいて、半導体発光素子５０の駆動を制御する。
【００４５】
回転軸駆動部１６０は、たとえば、ステッピングモータなどから構成されており、制御部１７０からの制御信号に基づいて、回転軸１２０を回転させる。
【００４６】
また、半導体発光素子駆動部１５０および回転軸駆動部１６０は、上記制御部１７０により、それぞれ独立に制御される。
【００４７】
次に、図１〜図３を参照して、本発明の第１実施形態による半導体発光装置の動作について説明する。
【００４８】
まず、図１に示すように、半導体発光素子５０から励起光Ｌ11（レーザ光）が円盤状の蛍光体含有部材１１０に向けて出射され、励起光Ｌ11が蛍光体含有部材１１０の裏面（下面）の一部に照射される。蛍光体含有部材１１０に励起光Ｌ11が照射されると、含有されている蛍光体によって励起光Ｌ11が所望の色の可視光に変換され、混色により、蛍光体含有部材１１０から白色の照明光Ｌ（白色光）が発せられる。このとき、蛍光体含有部材１１０に設けられたレンズ形状（凸レンズ部１１２）によって、配向特性が制御され、配向特性の変化が抑制される。加えて、照明光Ｌの配向特性が平行光に近付けられる。
【００４９】
また、制御部１７０（図２参照）によって、半導体発光素子駆動部１５０（図２参照）が制御されると、半導体発光素子５０から発せられる励起光Ｌ11の光出力が制御される。これにより、照明光Ｌの光強度が調整される。
【００５０】
一方、制御部１７０（図２参照）によって、回転軸駆動部１６０（図２参照）が制御されると、回転軸１２０が回転され、これに伴って、蛍光体含有部材１１０が回転される。これにより、蛍光体含有部材１１０における励起光Ｌ11の照射位置が変わり、所望の蛍光体領域Ａ〜Ｄ（図３参照）に励起光Ｌ11が照射される。そして、励起光Ｌ11の照射位置の変化による蛍光体濃度の変化に応じて、照明光Ｌの色（色み）が変化する。
【００５１】
なお、図２に示す半導体発光素子駆動部１５０および回転軸駆動部１６０は、制御部１７０によって、それぞれ独立に制御される。このため、上述のように、半導体発光素子駆動部１５０を制御することにより、照明光Ｌの光強度が調整され、回転軸駆動部１６０を制御することにより照明光Ｌの発光色が調整される。
【００５２】
図６および図７は、本発明の第１実施形態による半導体発光装置の蛍光体含有部材の形成方法を説明するための図である。次に、図１、図３、図６および図７を参照して、第１実施形態による蛍光体含有部材１１０の形成方法の一例について説明する。なお、第１実施形態による半導体発光装置の蛍光体含有部材１１０は、たとえば、金型を用いて成型することが可能であるため、以下の説明では、金型を用いた蛍光体含有部材１１０の形成方法について説明する。
【００５３】
まず、図６に示すような金型７０を準備する。この金型７０は、立方体形状を有しており、その一面に円柱状くぼみ部７１が形成されている。この円柱状くぼみ部７１の底面には、くぼみに樹脂等の成型物を流し込み成型した際に、所望のレンズ形状（たとえば、凸レンズ形状）を実現できるような形状が設けられている。
【００５４】
次に、図７に示すように、金型７０の円柱状くぼみ部７１に仕切り板７２を設置し、円柱状くぼみ部７１を複数（４つ）の領域ａ〜ｄに分断する。このとき、領域ａ〜ｄが略等しくなるように、互いに直交する２つの仕切り板７２（７２ａ、７２ｂ）で円柱状くぼみ部７１の平面領域を４分割する。
【００５５】
続いて、硬化前の樹脂に蛍光体材料を分散させたものについて、蛍光体分散濃度、蛍光体分散比率が異なる蛍光体含有樹脂を複数種類（４種類）用意する。そして、これらの蛍光体含有樹脂を、分断された各領域ａ〜ｄに流し込む。
【００５６】
最後に、仕切り板７２を取り除き、熱処理等の硬化工程を行う。これにより、図１に示したような、レンズ形状（凸レンズ部１１２）を有するとともに、円周方向（回転方向）に蛍光体濃度分布を有する蛍光体含有部材１１０が形成される。なお、蛍光体含有部材１１０の蛍光体領域Ａ〜Ｄ（図３参照）は、それぞれ、金型７０の各領域ａ〜ｄに対応している。
【００５７】
第１実施形態では、上記のように、半導体発光素子５０と蛍光体濃度分布を有する蛍光体含有部材１１０とを備えた構成にすることによって、温度や経時変化などの影響が少なく、簡単な構成で発光色を所望の色（色み）に変化させることができる。
【００５８】
また、第１実施形態では、蛍光体含有部材１１０にレンズ形状を持たせることによって、このレンズ形状により、配向特性が変化するのを抑制することができる。
【００５９】
このように、第１実施形態による半導体発光装置では、上記のように構成することによって、配向特性の変化を抑制しながら、発光色を変化させることができる。
【００６０】
なお、上記のように構成された第１実施形態による半導体発光装置では、発光色を所望の色に容易に変化させることができるので、この半導体発光装置を車両用灯具として用いた場合には、周囲の天候や明るさなどに応じた色の光を発することができるので、視認性の向上や運転者の疲労低減等の効果が期待できる。
【００６１】
また、第１実施形態では、上記蛍光体含有部材１１０を回転可能に支持することによって、回転軸駆動部１６０により蛍光体含有部材１１０を回転させることで、蛍光体含有部材１１０における励起光Ｌ11の照射位置を所望の位置に変えることができる。これにより、より簡単な構成で、発光色を所望の色に変化させることができる。
【００６２】
また、第１実施形態では、回転方向に蛍光体濃度分布を有するように上記蛍光体含有部材１１０を構成することによって、より容易に、発光色を所望の色に変化させることができる。
【００６３】
また、第１実施形態では、半導体レーザ素子からなる半導体発光素子５０を用いることによって、素子あたりの光出力を強めることができるので、高出力の半導体発光装置を得ることができる。
【００６４】
また、第１実施形態では、上記レンズ形状を、半導体発光素子５０とは反対側（照明光Ｌの出射方向）に突出する凸レンズ形状とすることによって、容易に、蛍光体含有部材１１０からの照明光Ｌを平行光に近付けることができる。これにより、たとえば、車両用前照灯（車両用灯具）として用いる場合に、好適な光を発する半導体発光装置とすることができる。
【００６５】
また、第１実施形態では、レンズ形状（凸レンズ部１１２）を、蛍光体含有部材１１０に一体的に形成することによって、容易に、蛍光体含有部材１１０にレンズ形状（凸レンズ部１１２）を持たせる（形成する）ことができる。
【実施例１】
【００６６】
実施例１による半導体発光装置として、半導体発光素子に、波長４０５ｎｍのレーザ光を出射する窒化物系の半導体レーザ素子を用いて、発光装置を作製した。また、蛍光体を分散させる樹脂には、市販のシリコーン樹脂（ＫＥＲ−２５００：信越シリコーン（信越化学工業（株））製）を用いた。そして、シリコーン樹脂中に、異なる発光ピーク波長をもつ３種類の蛍光体を分散させ、これらの蛍光体が分散されたシリコーン樹脂を硬化させることによって、円盤状の蛍光体含有部材を形成した。
【００６７】
上記３種類の蛍光体は、それぞれ、発光スペクトルのピーク波長が４９０ｎｍのＣｅ賦活ＪＥＭ蛍光体、発光スペクトルのピーク波長が５８０ｎｍのＥｕ賦活αＳｉＡｌＯＮ蛍光体、発光スペクトルのピーク波長が６５０ｎｍのＥｕ賦活ＣａＡｌＳｉＮ３蛍光体である。なお、これらの蛍光体は、特開２００８−１９４０７号公報に開示されている方法を用いて作製した。
【００６８】
そして、これらの樹脂および蛍光体を、以下の表１に示す重量比率で混合した混合物を、同じく表１に示す組み合わせで、金型の領域ａ〜ｄ（図７参照）に充填した後、上記第１実施形態と同様の方法で蛍光体含有部材を作製した。なお、実施例１のその他の構成は、上記第１実施形態と同様である。
【００６９】
【表１】
2011060884.tif 000003
【００７０】
上記のように構成された実施例１による半導体発光装置を用いて、発光スペクトルを測定した。表２に、実施例１による半導体発光装置の回転軸の回転角と照明光の特性との関係を示す。表２に示す値は、半導体発光装置の発光スペクトルを分光光度計（大塚電子製：ＭＣＰＤ−７０００）を用いて測定し、光度計付属のソフトウェアにて計算したものである。ここで、平均演色性評価指数Ｒａとは、試験色を試料光源と基準光とで照らした際の色ずれの大きさを数値化したものである。半導体発光装置（照明装置）としては、この平均演色性評価指数Ｒａが８０以上であるのが好ましく、９０以上であればより好ましい。なお、回転軸の回転角が０度のときが、蛍光体領域Ａに励起光が照射されている状態であり、回転角が９０度のときが、蛍光体領域Ｂに励起光が照射されている状態である。また、回転角が１８０度のときが、蛍光体領域Ｃに励起光が照射されている状態であり、回転角が２７０度のときが、蛍光体領域Ｄに励起光が照射されている状態である。
【００７１】
【表２】
2011060884.tif 000004
【００７２】
上記表２より、蛍光体含有部材（回転軸）を回転させることにより、色温度等の照明光の特性が変化していることがわかる。これより、蛍光体含有部材を回転させることにより、容易に、照明光の色を変化させることが可能であることが確認された。また、実施例１による半導体発光装置では、照明光をいずれの色とした場合でも、平均演色性評価指数Ｒａが８０以上と高い演色性が得られている。
【００７３】
（第２実施形態）
図８は、本発明の第２実施形態による半導体発光装置の光源部の構成を模式的に示した斜視図である。図９は、本発明の第２実施形態による半導体発光装置のレンズ形状を有さない蛍光体含有部材の構成を示した平面図である。次に、図８および図９を参照して、本発明の第２実施形態による半導体発光装置について説明する。なお、第２実施形態における光源部以外の構成は、上記第１実施形態と同様であるためその説明は省略する。
【００７４】
この第２実施形態による半導体発光装置では、図８に示すように、２つの蛍光体含有部材２１０を有する光源部２００を備えている。具体的には、この光源部２００は、上記第１実施形態と同様の蛍光体含有部材２１０ａ（第１の蛍光体含有部材）と、レンズ形状を有さない蛍光体含有部材２１０ｂ（第２の蛍光体含有部材）との２つの蛍光体含有部材２１０を含んで構成されている。すなわち、第２実施形態の光源部２００は、上記第１実施形態の構成に加えて、レンズ形状を有さない蛍光体含有部材２１０ｂをさらに備えた構成となっている。
【００７５】
また、上記２つの蛍光体含有部材２１０は、レンズ形状以外はほぼ同様の形状となっており、励起光Ｌ11の出射方向に、互いに重なるように配設されている。また、図９に示すように、レンズ形状を有さない蛍光体含有部材２１０ｂも、レンズ形状を有する蛍光体含有部材２１０ａ（１１０）と同様、蛍光体分散濃度や、蛍光体分散比率が異なる複数（４つ）の蛍光体領域Ａ〜Ｄを有している。これらの蛍光体領域Ａ〜Ｄは、蛍光体含有部材２１０ｂの半径方向に平行な方向をＸ方向とし、蛍光体含有部材２１０ｂの接線方向に平行な方向をＹ方向とした場合に、Ｘ方向およびＹ方向に略等分割されている。そして、蛍光体含有部材２１０ａの蛍光体領域Ａ〜Ｄと、蛍光体含有部材２１０ｂの蛍光体領域Ａ〜Ｄとがそれぞれ対応（対向）するように、２つの蛍光体含有部材２１０（２１０ａ、２１０ｂ）が互いに所定の距離を隔てて回転軸１２０（図８参照）に固定されている。また、図８に示すように、この回転軸１２０によって、上記蛍光体含有部材２１０ａおよび２１０ｂが一体的に回転可能に支持されている。
【００７６】
また、第２実施形態では、レンズ形状を有する蛍光体含有部材２１０ａが、半導体発光素子５０から遠い位置に配設されている。
【００７７】
さらに、第２実施形態では、半導体発光素子５０から遠い位置に配設された蛍光体含有部材２１０ａには、半導体発光素子５０に近い位置に配設された蛍光体含有部材２１０ｂよりも、発光ピーク波長が短い蛍光体が分散されている。
【００７８】
第２実施形態のその他の構成は、上記第１実施形態と同様である。
【００７９】
次に、図８を参照して、本発明の第２実施形態による半導体発光装置の動作について説明する。
【００８０】
半導体発光素子５０から出射された励起光Ｌ11（レーザ光）がレンズ形状を有さない蛍光体含有部材２１０ｂに照射されると、蛍光体含有部材２１０ｂに含まれる蛍光体により一部が波長変換され、励起光Ｌ11と蛍光との混合光Ｌ12となる。そして、この混合光Ｌ12がレンズ形状を有する蛍光体含有部材２１０ａに照射される。混合光Ｌ12がレンズ形状を有する蛍光体含有部材２１０ａに照射されると、蛍光体含有部材２１０ａによって所望の可視光に変換され、蛍光体含有部材２１０ａから白色の照明光Ｌ（白色光）が発せられる。このとき、上記第１実施形態と同様、蛍光体含有部材２１０ａに設けられたレンズ形状（凸レンズ部１１２）によって、配向特性が制御され、配向特性の変化が抑制される。加えて、照明光Ｌの配向特性が平行光に近付けられる。
【００８１】
一方、回転軸１２０が回転されると、これに伴って、蛍光体含有部材２１０（２１０ａ、２１０ｂ）が回転され、蛍光体含有部材２１０ｂにおける励起光Ｌ11の照射位置が変わる。これにより、レンズ形状を有さない蛍光体含有部材２１０ｂにおける所望の蛍光体領域に励起光Ｌ11が照射されるとともに、蛍光体含有部材２１０ｂからの混合光Ｌ12が、レンズ形状を有する蛍光体含有部材２１０ａにおける所望の蛍光体領域に照射される。そして、励起光Ｌ11および混合光Ｌ12の照射位置の変化による蛍光体濃度の変化に応じて、照明光Ｌの色（色み）が変化する。
【００８２】
第２実施形態では、上記のように、２つの蛍光体含有部材２１０を備えるとともに、半導体発光素子５０から遠い蛍光体含有部材２１０ａに含まれる蛍光体を、半導体発光素子５０に近い蛍光体含有部材２１０ｂに含まれる蛍光体に比べて、発光ピーク波長が短くなるように構成することによって、蛍光体から出射される蛍光の再吸収を抑制することができるので、発光効率を高めることができる。
【００８３】
また、第２実施形態では、半導体レーザ素子からなる半導体発光素子５０を用いることによって、このような半導体レーザ素子からの出射光はコヒーレント光であり直線性が高いため、複数の蛍光体含有部材２１０を備えた場合でも、励起光Ｌ11より遠い側の蛍光体含有部材２１０ａを充分に励起することができる。
【００８４】
第２実施形態のその他の効果は、上記第１実施形態と同様である。
【実施例２】
【００８５】
実施例２による半導体発光装置として、上記実施例１と同様、波長４０５ｎｍのレーザ光を出射する窒化物系の半導体レーザ素子を用いて、発光装置を作製した。また、実施例２では、上記第２実施形態と同様、２つの蛍光体含有部材を備えた構成とした。これら２つの蛍光体含有部材（第１の蛍光体含有部材、第２の蛍光体含有部材）は、それぞれ、実施例１と同様の方法を用いて形成した。具体的には、実施例１と同様に区切られた金型の４つの領域ａ〜ｄに、樹脂および蛍光体を異なる重量比率で混合した混合物を充填した後、硬化させることによって蛍光体含有部材を作製した。以下の表３に、各蛍光体含有部材の領域ａ〜ｄにおける樹脂と蛍光体との重量比率を示す。ここで、各領域ａ〜ｄにおける樹脂と蛍光体との重量比率は、上記表２に示すものと同じ特性を示すように適宜調整した。実施例２のその他の構成は、上記第２実施形態と同様である。
【００８６】
【表３】
2011060884.tif 000005
【００８７】
実施例２では、表３に示すように、レンズ形状を有する第１の蛍光体含有部材には、１種類の蛍光体を分散させており、レンズ形状を有さない第２の蛍光体含有部材には、２種類の蛍光体を分散させている。
【００８８】
（第３実施形態）
図１０は、本発明の第３実施形態による半導体発光装置の光源部の構成を模式的に示した斜視図である。図１１は、本発明の第３実施形態による半導体発光装置のレンズ形状を有さない蛍光体含有部材の構成を示した平面図である。次に、図１０および図１１を参照して、本発明の第３実施形態による半導体発光装置について説明する。なお、第３実施形態における光源部以外の構成は、上記第１実施形態と同様であるためその説明は省略する。
【００８９】
この第３実施形態による半導体発光装置では、図１０に示すように、３つの蛍光体含有部材３１０を有する光源部３００を備えている。具体的には、この光源部３００は、上記第１実施形態と同様の蛍光体含有部材３１０ａ（第１の蛍光体含有部材）、レンズ形状を有さない蛍光体含有部材３１０ｂおよび３１０ｃ（第２の蛍光体含有部材、第３の蛍光体含有部材）を含んで構成されている。すなわち、第３実施形態の光源部３００は、上記第１実施形態の構成に加えて、レンズ形状を有さない２つの蛍光体含有部材３１０ｂおよび３１０ｃをさらに備えた構成となっている。
【００９０】
また、上記３つの蛍光体含有部材は、レンズ形状以外はほぼ同様の形状となっており、励起光Ｌ11の出射方向に、互いに重なるように配設されている。また、図１１に示すように、レンズ形状を有さない蛍光体含有部材３１０ｂおよび３１０ｃも、レンズ形状を有する蛍光体含有部材３１０ａ（１１０）と同様、蛍光体分散濃度や、蛍光体分散比率が異なる複数（４つ）の蛍光体領域Ａ〜Ｄを有している。これらの蛍光体領域Ａ〜Ｄは、蛍光体含有部材３１０（３１０ｂ、３１０ｃ）の半径方向に平行な方向をＸ方向とし、蛍光体含有部材３１０（３１０ｂ、３１０ｃ）の接線方向に平行な方向をＹ方向とした場合に、Ｘ方向およびＹ方向に略等分割されている。そして、蛍光体含有部材３１０ａの蛍光体領域Ａ〜Ｄと、蛍光体含有部材３１０ｂの蛍光体領域Ａ〜Ｄと、蛍光体含有部材３１０ｃの蛍光体領域Ａ〜Ｄと、がそれぞれ対応（対向）するように、３つの蛍光体含有部材３１０が互いに所定の距離を隔てて回転軸１２０（図１０参照）に固定されている。また、図１０に示すように、この回転軸１２０によって、上記蛍光体含有部材３１０ａ、３１０ｂおよび３１０ｃが一体的に回転可能に支持されている。
【００９１】
また、第３実施形態では、レンズ形状を有する蛍光体含有部材３１０ａ（１１０）が、半導体発光素子５０から最も遠い位置に配設されている。
【００９２】
さらに、第３実施形態では、半導体発光素子５０から遠い位置に配設された蛍光体含有部材には、半導体発光素子５０に近い位置に配設された蛍光体含有部材よりも、発光ピーク波長が短い蛍光体が分散されている。すなわち、第３実施形態では、蛍光体含有部材３１０ａに含まれる蛍光体の発光ピーク波長は、蛍光体含有部材３１０ｂに含まれる蛍光体の発光ピーク波長より短く、蛍光体含有部材３１０ｂに含まれる蛍光体の発光ピーク波長は、蛍光体含有部材３１０ｃに含まれる蛍光体の発光ピーク波長より短い。
【００９３】
第３実施形態のその他の構成は、上記第１および第２実施形態と同様である。
【００９４】
次に、図１０を参照して、本発明の第３実施形態による半導体発光装置の動作について説明する。
【００９５】
半導体発光素子５０から出射された励起光Ｌ11（レーザ光）がレンズ形状を有さない蛍光体含有部材３１０ｃに照射されると、蛍光体含有部材３１０ｃに含まれる蛍光体により一部が波長変換され、励起光Ｌ11と蛍光との混合光Ｌ12となる。そして、この混合光Ｌ12がレンズ形状を有さない蛍光体含有部材３１０ｂに照射される。混合光Ｌ12がレンズ形状を有さない蛍光体含有部材３１０ｂに照射されると、蛍光体含有部材３１０ｂに含まれる蛍光体により一部が波長変換され、励起光Ｌ11と蛍光との混合光Ｌ13となる。この混合光Ｌ13がレンズ形状を有する蛍光体含有部材３１０ａに照射されると、蛍光体含有部材３１０ａによって所望の可視光に変換され、蛍光体含有部材３１０ａから白色の照明光Ｌ（白色光）が発せられる。このとき、上記第１および第２実施形態と同様、蛍光体含有部材３１０ａに設けられたレンズ形状（凸レンズ部１１２）によって、配向特性が制御され、配向特性の変化が抑制される。加えて、照明光Ｌの配向特性が平行光に近付けられる。
【００９６】
一方、回転軸１２０が回転されると、これに伴って、蛍光体含有部材３１０（３１０ａ、３１０ｂ、３１０ｃ）が回転され、蛍光体含有部材３１０ｃにおける励起光Ｌ11の照射位置が変わる。これにより、レンズ形状を有さない蛍光体含有部材３１０ｃにおける所望の蛍光体領域に励起光Ｌ11が照射されるとともに、蛍光体含有部材３１０ｃからの混合光Ｌ12が、レンズ形状を有さない蛍光体含有部材３１０ｂにおける所望の蛍光体領域に照射される。そして、蛍光体含有部材３１０ｂからの混合光Ｌ13が、レンズ形状を有する蛍光体含有部材３１０ａにおける所望の蛍光体領域に照射される。これにより、励起光Ｌ11、混合光Ｌ12およびＬ13の照射位置の変化による蛍光体濃度の変化に応じて、照明光Ｌの色（色み）が変化する。
【００９７】
第３実施形態では、上記のように、３つの蛍光体含有部材３１０を備えるとともに、半導体発光素子５０から遠い蛍光体含有部材に含まれる蛍光体を、半導体発光素子５０に近い蛍光体含有部材に含まれる蛍光体に比べて、発光ピーク波長が短くなるように構成することによって、蛍光体から出射される蛍光の再吸収を抑制することができるので、発光効率を高めることができる。
【００９８】
また、第３実施形態では、半導体レーザ素子からなる半導体発光素子５０を用いることによって、このような半導体レーザ素子からの出射光はコヒーレント光であり直線性が高いため、複数の蛍光体含有部材３１０を備えた場合でも、励起光Ｌ11より遠い側の蛍光体含有部材を充分に励起することができる。
【００９９】
第３実施形態のその他の効果は、上記第１実施形態と同様である。
【実施例３】
【０１００】
実施例３による半導体発光装置として、上記実施例１および２と同様、波長４０５ｎｍのレーザ光を出射する窒化物系の半導体レーザ素子を用いて、発光装置を作製した。また、実施例３では、上記第３実施形態と同様、３つの蛍光体含有部材を備えた構成とした。これら３つの蛍光体含有部材（第１の蛍光体含有部材、第２の蛍光体含有部材、第３の蛍光体含有部材）は、それぞれ、実施例１と同様の方法を用いて形成した。具体的には、実施例１と同様に区切られた金型の４つの領域ａ〜ｄに、樹脂および蛍光体を異なる重量比率で混合した混合物を充填した後、硬化させることによって蛍光体含有部材を作製した。以下の表４に、各蛍光体含有部材の領域ａ〜ｄにおける樹脂と蛍光体との重量比率を示す。ここで、各領域ａ〜ｄにおける樹脂と蛍光体との重量比率は、上記表２に示すものと同じ特性を示すように適宜調整した。実施例３のその他の構成は、上記第３実施形態と同様である。
【０１０１】
【表４】
2011060884.tif 000006
【０１０２】
実施例３では、表４に示すように、３つの蛍光体含有部材のいずれにも、１種類の蛍光体を分散させている。ただし、これらの蛍光体は、互いに異なる発光ピーク波長を有している。
【０１０３】
続いて、同一の駆動電力により駆動した際の実施例１〜３の発光強度の比較（発光強度相対値）を、以下の表５および表６に示す。表５は、回転角が０度の際のもので、表６は、回転角が２７０度の際のものである。
【０１０４】
【表５】
2011060884.tif 000007
【０１０５】
【表６】
2011060884.tif 000008
【０１０６】
表５および表６より、発光強度は、実施例３＞実施例２＞実施例１の関係にあることが分かる。これは、実施例２および実施例３の半導体発光装置が、複数の蛍光体含有部材を含み、かつ、励起光から遠い蛍光体含有部材に含まれる蛍光体の発光ピーク波長が、励起光により近い蛍光体含有部材に含まれる蛍光体の発光ピーク波長より短いことに起因する。
【０１０７】
（第４実施形態）
図１２は、本発明の第４実施形態による車両用ヘッドランプの構成を示した模式図である。次に、図１、図８、図１０および図１２を参照して、本発明の第４実施形態による車両用ヘッドランプについて説明する。なお、第４実施形態では、車両用灯具の一例である車両用ヘッドランプに、本発明を適用した例について説明する。
【０１０８】
この第４実施形態による車両用ヘッドランプは、図１２に示すように、光源としての照明装置４００を備えている。この照明装置４００は、上記第１〜第３実施形態で示した半導体発光装置の少なくとも１つを含んで構成されている。
【０１０９】
また、第４実施形態による車両用ヘッドランプは、第１のリフレクタ４１０、第２のリフレクタ４２０および投影レンズ４３０をさらに備えている。そして、照明装置４００からの光が、第１のリフレクタ４１０および第２のリフレクタ４２０を介して、投影レンズ４３０に到達し、投影レンズ４３０から車両前方に光が投影されるように構成されている。
【０１１０】
第４実施形態による車両用ヘッドランプでは、上記のように構成することによって、回転軸１２０（図１、図８および図１０参照）を駆動することにより、安定した配向特性を維持した状態で、発光色を所望の色に変更することができる。また、上記のように構成することによって、色むらを低減することができる。
【０１１１】
また、このような車両用ヘッドランプは、たとえば、４輪の自動車や、２輪のオートバイなどの車両に搭載することができる。
【０１１２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１１３】
たとえば、上記第１〜第３実施形態では、励起光源としての半導体発光素子に半導体レーザ素子を用いた例を示したが、本発明はこれに限らず、励起光源としての半導体発光素子に半導体レーザ素子以外の発光素子を用いてもよい。たとえば、各種固体レーザや発光ダイオード、スーパールミネッセントダイオードなどの発光素子を励起光源として用いてもよい。
【０１１４】
また、上記第１〜第３実施形態では、半導体レーザ素子の一例として、窒化物系半導体からなる半導体レーザ素子を用いた例を示したが、本発明はこれに限らず、窒化物系半導体以外の半導体レーザ素子を用いてもよい。
【０１１５】
また、上記第１〜第３実施形態では、半導体発光装置からの照明光を白色光とした例を示したが、本発明はこれに限らず、白色光以外の色の照明光を発するように半導体発光装置（光源部）を構成することもできる。なお、上記第１〜第３実施形態において、蛍光体含有部材に含まれる蛍光体は１種類であってもよい。
【０１１６】
また、上記第１〜第３実施形態では、蛍光体含有部材のレンズ形状を環状の凸レンズ形状とした例を示したが、本発明はこれに限らず、所望の配向特性を得ることが可能なレンズ形状であれば、上記した形状以外のレンズ形状であってもよい。たとえば、図１３および図１４に示すような環状以外の凸レンズ形状であってもよい。すなわち、このような凸レンズ形状（凸レンズ部１１２ａ）を有する蛍光体含有部材５１０を備えた構成としてもよい。また、上記レンズ形状は、凸レンズ形状以外に、たとえば、凹レンズ形状やプリズムレンズ形状であってもよいし、フレネルレンズ形状であってもよい。なお、配向特性は平行光であるのが好ましいが、平行光でなくてもよい。
【０１１７】
また、上記第１〜第３実施形態では、蛍光体含有部材を円盤状に形成した例を示したが、本発明はこれに限らず、上記蛍光体含有部材は、円盤状以外の形状であってもよい。たとえば、平面的に見た場合に矩形形状を有する板形状であってもよい。
【０１１８】
また、上記第１〜第３実施形態では、蛍光体含有部材を回転可能に構成した例を示したが、本発明はこれに限らず、たとえば、蛍光体含有部材がスライド移動可能に構成されていてもよい。また、蛍光体含有部材を固定して、半導体発光素子を移動させるように構成されていてもよい。さらに、蛍光体含有部材と半導体発光素子との両方が移動可能に構成されていてもよい。
【０１１９】
また、上記第１〜第３実施形態では、１〜３つの蛍光体含有部材を備えた例について示したが、本発明はこれに限らず、４つ以上の蛍光体含有部材を備えた構成にしてもよい。
【０１２０】
また、上記第１〜第３実施形態では、蛍光体含有部材に、４つの蛍光体領域を設けた例を示したが、本発明はこれに限らず、蛍光体領域は、４つより多くてもよいし、４つより少なくてもよい。また、蛍光体領域は、異なる平面積となるように分割されていてもよい。
【０１２１】
なお、上記第１〜第３実施形態において、半導体発光装置を構成する蛍光体含有部材等の寸法や形状、配置などは、適宜変更することができる。
【０１２２】
また、上記第２および第３実施形態では、半導体発光素子により遠い蛍光体含有部材に含まれる蛍光体が、半導体発光素子に近い蛍光体含有部材に含まれる蛍光体に比べて、発光ピーク波長が短くなるように構成した例を示したが、本発明はこれに限らず、半導体発光素子により遠い蛍光体含有部材に含まれる蛍光体の発光ピーク波長が、半導体発光素子に近い蛍光体含有部材に含まれる蛍光体の発光ピーク波長より長くなるように構成されていてもよい。ただし、蛍光体から出射される蛍光の再吸収を抑制するという観点からは、半導体発光素子により遠い蛍光体含有部材に含まれる蛍光体は、半導体発光素子に近い蛍光体含有部材に含まれる蛍光体よりも、発光ピーク波長が短くなるように構成されているのが好ましい。
【０１２３】
また、上記第２および第３実施形態では、半導体発光素子から最も遠い位置に配設された蛍光体含有部材が、レンズ形状を持つように構成した例を示したが、本発明はこれに限らず、たとえば、半導体発光素子から最も遠い位置に配設された蛍光体含有部材以外の蛍光体含有部材が、レンズ形状を持つように構成してもよい。また、複数の蛍光体含有部材を備える場合に、複数の蛍光体含有部材の全てが、レンズ形状を持つように構成してもよい。さらに、半導体発光素子から最も遠い位置に配設された蛍光体含有部材と、それ以外の蛍光体含有部材とが、レンズ形状を持つように構成されていてもよい。
【０１２４】
また、上記第４実施形態では、車両用灯具の一例である車両用ヘッドランプに本発明を適用した例を示したが、本発明はこれに限らず、車両用ヘッドランプ以外の車両用灯具に本発明を適用してもよい。たとえば、テールランプやウィンカーランプ、フォグランプなどに本発明を適用してもよい。
【０１２５】
なお、上記第１〜第３実施形態で示した半導体発光装置は、車両用灯具以外の一般照明などにも適用することができる。
【符号の説明】
【０１２６】
５０                                      半導体発光素子
５１                                      照射領域
７０                                      金型
７１                                      円柱状くぼみ部
７２                                      仕切り板
１００、２００、３００                    光源部
１１０、２１０、３１０                    蛍光体含有部材
１１１                                    貫通孔
１１２                                    凸レンズ部
１２０                                    回転軸
１５０                                    半導体発光素子駆動部
１６０                                    回転軸駆動部
１７０                                    制御部
４００                                    照明装置
４１０                                    第１のリフレクタ
４２０                                    第２のリフレクタ
４３０                                    投影レンズ
Ｌ                                        照明光
Ｌ11                                    励起光
Ｌ12、Ｌ13                              混合光
【図１】
2011060884.tif 000009
【図２】
2011060884.tif 000010
【図３】
2011060884.tif 000011
【図４】
2011060884.tif 000012
【図５】
2011060884.tif 000013
【図６】
2011060884.tif 000014
【図７】
2011060884.tif 000015
【図８】
2011060884.tif 000016
【図９】
2011060884.tif 000017
【図１０】
2011060884.tif 000018
【図１１】
2011060884.tif 000019
【図１２】
2011060884.tif 000020
【図１３】
2011060884.tif 000021
【図１４】
2011060884.tif 000022